(57)【要約】【課題】      フッ素を混入することによって本来の材料の有する硬さが得られずカップの外側が破損しやすいこと。【解決手段】  釣り用柄杓Ｔは、握持部１と柄２とカップ部３を有し、柄２の先端にカップ部３が取り付けられ、柄２の後端側に握持部１が取り付けられ、カップ部３は、合成樹脂２重成形により形成し、カップ部内側３ａ側の内側部５はフッ素樹脂を混入した合成樹脂を使用し、カップ部外側３ｂ側の外側部６は内側部５より硬質の合成樹脂により形成し、カップ部３の後端側に設けた柄の接続部４は外側部６に一体に形成している。【選択図】        図２
2008035756.tif 000002
【特許請求の範囲】
【請求項１】
釣り用柄杓のカップ部の内側部をフッ素加工した合成樹脂で形成すると共に、前記カップ部の外側部を前記カップ部の内側部より硬質の合成樹脂で形成し、前記カップ部の外側部に柄の接続部が設けられていることを特徴とする釣り用柄杓。
【請求項２】
カップ部の内側部と外側部は互いに凹凸で係合していることを特徴とする請求項１記載の釣り用柄杓。
【請求項３】
カップ部の内側部と外側部が係合する前記凹凸の凸部にカップ部の内側から外側に貫通する水抜き孔を設けたことを特徴とする請求項２記載の釣り用柄杓。
【発明の詳細な説明】
【技術分野】
【０００１】
本発明は、撒き餌を撒くときに使用する釣り用柄杓に関する。
【背景技術】
【０００２】
従来から釣り用柄杓は、魚を寄せる撒き餌を撒くために使用されており、カップ部で撒き餌を掬い取り、魚を寄せたいポイントを狙って投入していた。
投入する撒き餌は粉末状の配合餌に水を加えた練り餌が多く、カップで掬って団子状にまとめ、投入するようにしていたが撒き餌の餌離れが悪く撒き餌が散らばってしまうことが指摘されていた。
【０００３】
これに対し、例えば、特許文献１の公報には、カップ自体の樹脂にフッ素樹脂を含ませ、またはその表面にフッ素加工を施し、撒き餌の滑りがよくなるようにした釣り用柄杓が紹介されている。
しかし、このような釣り用柄杓はカップの内側滑りが良くなって掬った撒き餌の投入が容易になるが、フッ素を混入することによって本来の材料の有する硬さが得られずカップの外側が傷が付きやすくなり、柄の接続部においても充分な強度が得られない虞があった。
【特許文献１】実用新案登録第２５３３７８７号公報
【発明の開示】
【発明が解決しようとする課題】
【０００４】
解決しようとする課題は、フッ素を混入することによって本来の材料の有する硬さが得られずカップの外側が破損しやすいことである。
【０００５】
本発明の目的は前記欠点に鑑み、フッ素を混入した樹脂でカップを形成してもカップの外側が傷が付きにくく、柄の接続部においても充分な強度を有するようにすることである。
【課題を解決するための手段】
【０００６】
上記課題を解決するために、
請求項１に係わる本発明は、釣り用柄杓のカップ部の内側部をフッ素加工した合成樹脂で形成すると共に、前記カップ部の外側部を前記カップ部の内側部より硬質の合成樹脂で形成し、前記カップ部の外側部に柄の接続部が設けられていることを要旨とするものである。
請求項２に係わる本発明は、カップ部の内側部と外側部は互いに凹凸で係合していることを要旨とするものである。
請求項３に係わる本発明は、カップ部の内側部と外側部が係合する前記凹凸の凸部にカップ部の内側から外側に貫通する水抜き孔を設けたことを要旨とするものである。
【発明の効果】
【０００７】
本発明の各請求項によると、カップ部の内側の滑りが良くなって掬った撒き餌の餌離れが良く投入が容易になると共に、カップ部の外側部を内側部より硬質の合成樹脂で形成したのでカップの外側の傷が付きおよび柄の接続部の破損が防止できる。
【発明を実施するための最良の形態】
【０００８】
以下、本発明の実施形態を図面に基づき説明すると、図１から図３は本発明の実施例で、図１は釣り用柄杓の全体図、図２はカップ部の拡大側面断面図、図３はカップ部の拡大正面断面図である。
【０００９】
図１から図３によると、釣り用柄杓Ｔは、握持部１と柄２とカップ部３を有し、柄２の先端にカップ部３が取り付けられ、柄２の後端側に握持部１が取り付けられ、握持部１を握って、カップ部３で撒き餌を掬い、釣り場のポイントに向けて撒き餌を投入するようになっている。
【００１０】
図１のように、カップ部３は、略半卵形状に形成され、上方に開口部３ｃを有し、撒き餌を掬い取るために凹状に湾曲形成したカップ部内側３ａとカップ部３の下方に外側に膨出状に湾曲するカップ部外側３ｂが形成されている。
【００１１】
カップ部３は、合成樹脂２重成形により形成され、カップ部内側３ａとカップ部外側３ｂが異なる合成樹脂により形成されている。
カップ部内側３ａ側の内側部５はフッ素加工した合成樹脂からなり、フッ素樹脂を混入したポリアセタールを使用し、カップ部外側３ｂ側の外側部６はＡＢＳ樹脂により形成されている。
また、内側部５はフッ素加工した合成樹脂は、表面にフッ素樹脂コーテイング層を設けて形成してもよい。
【００１２】
内側部５は、フッ素樹脂が混入されて形成されているため、カップ部内側３ａにて水はじきが良く水分を含む撒き餌のはりつきが防止され、ポイントへの投入時にカップ部３からの撒き餌の餌離れが良好になっている。
外側部６はＡＢＳ樹脂により形成され、内側部５より大きな硬度を有し内側部５の外側を覆って保護している。
なお、内側部５は、フッ素樹脂が混入されて形成されているため、カップ部内側３ａが多少傷付いてもカップ部内側３ａの水はじきが良好である。
【００１３】
図２又は３のように、内側部５は外側に向けて突出する凸部５ａを有し、一方、外側部６は内側部５の凸部５ａを形成した部位に対応して凹部６ａが形成され、内側部５と外側部６が互いに内外に重合され凸部５ａが凹部６ａに係合する係合部Ｋを形成している。
凹部６ａは、外側部６の内側から外側に通じる貫通孔であるため、凸部５ａが凹部６ａに係合した状態で凸部５ａが外側部６を通じてカップ部外側３ｂ側に面一に現れ、この凸部５ａと凹部６ａの係合によって、内側部５と外側部６のずれが防止されている。
【００１４】
また、係合部Ｋはカップ部３の周辺部及び底部側と前方側に設けられており、これらのうちでカップ部３の底部側と前方側に設けられた係合部Ｋにはそれぞれ凸部５ａの中央側を通る水抜き孔Ｍ１、Ｍ２が内側部５と一体に形成され、カップ部３のカップ部内側３ａからカップ部外側３ｂ側に貫通しており、撒き餌に付いた余分な水分を逃がし、また撒き餌とカップ部内側３ａ間に空気を送り両者のはり付きを防止している。
【００１５】
カップ部３の後方には外側部６と一体に柄の接続部４が突出形成され、柄の接続部４の中心に沿って長手方向に設け後方に開口した接続孔４ａに柄２が挿入され接着により取り付けられている。
柄２は繊維強化樹脂等の合成樹脂で可撓性を有するように形成された中空状の管であり前方側が細くなるようにテーパーが付けられており、この柄２後端側に握持部１が取り付けられている。
【００１６】
カップ部３は、まず、内側部５を金型で成形し、これを別の金型で２重成形し、内側部５の外側を覆う外側部６を形成する。
この成型時に内側部５と外側部６の凸部５ａと凹部６ａが係合した係合部Ｋが形成され内側部５と外側部６が一体的に形成され、外側部６の後端側に柄の接続部４を有するカップ部３が形成される。
【００１７】
釣り用柄杓Ｔが使用されるときは、握持部１を握って釣り用柄杓Ｔを保持し、容器内から撒き餌を掬い取り、容器内壁等に押しつけてカップ部３内にて撒き餌を押し固め団子状にするが、この時余計な水分は水抜き孔Ｍ１、Ｍ２を通って排出され、同時に、水抜き孔Ｍ１、Ｍ２を通ってカップ部内側３ａと団子状の撒き餌の間に空気が通り、両者間に微細な空間が形成される。
【００１８】
この状態で釣り用柄杓Ｔにより撒き餌を投入すると、カップ部内側３ａ側の内側部５はフッ素樹脂を混入した合成樹脂で形成されているため滑りが良く、撒き餌のはり付きが防止され餌離れがスムーズになり、また、カップ部内側３ａと団子状の撒き餌の間に形成された微細な空間と相俟って団子状の撒き餌が崩れず投入できる。
【００１９】
さらに、内側部５は、これよりも硬質の合成樹脂で形成した外側部６で覆われているため容器内壁等に押しつけたり擦りつけた時や他物にぶつけた時等に内側部５の破損や傷付きが防止される。
さらに、カップ部３の後端側に設けた柄の接続部４は外側部６に一体に形成しているため柄の接続部４は破損しにくく、柄２が確実に保持され、安定した撒き餌の投入ができる。
【産業上の利用可能性】
【００２０】
本発明は、釣り用柄杓全般に利用できる。
【図面の簡単な説明】
【００２１】
【図１】図１は、釣り用柄杓の全体図である。
【図２】図２は、カップ部の拡大側面断面図である。
【図３】図３は、カップ部の拡大正面断面図である。
【符号の説明】
【００２２】
１  握持部
２  柄
３  カップ部
４  柄の接続部
５  内側部
６  外側部
Ｔ  釣り用柄杓
Ｋ  係合部
【図１】
2008035756.tif 000003
【図２】
2008035756.tif 000004
【図３】
2008035756.tif 000005